(57)【要約】【課題】除毛による痛みを抑えることができるような除毛装置を提供する。【解決手段】除毛装置５１は、駆動部１０３が駆動されて、例えばユーザの顔面に生えている髭が剃り落とされると、マイナスイオン発生部５７Ａ、５７Ｂからマイナスイオンを、オゾン発生部５７Ａ、５７Ｂから微量のオゾンを発生し、ファン３００の駆動により空気吸入穴７３からケーシング５３Ａ内及び風吹出口部材５３Ｂ内を介して人体との接触面の近傍に空気流を噴出すことにより、マイナスイオン及び微量のオゾンが含まれた風を、上記髭の剃り落とされた部位に吹き付ける。【選択図】　　　　図８
2004000432.tif 000002
【特許請求の範囲】
【請求項１】
皮膚に生えている体毛を除毛するための除毛部と、
除毛直前、除毛中又は除毛直後に、前記除毛部によって除毛される又はされた皮膚の領域に、マイナスイオンを含んだイオン風を吹き当てるイオン風吹き当て部と
を備える除毛装置。
【請求項２】
前記除毛部は、前記体毛を剃毛するための剃毛部である、
請求項１記載の除毛装置。
【請求項３】
前記除毛部は、前記体毛を脱毛するための脱毛部である、
請求項１記載の除毛装置。
【請求項４】
前記除毛部は、前記体毛に直接作用する除毛機構と、前記除毛機構を駆動する駆動装置とを有し、
前記除毛部又は前記除毛部中の前記除毛機構が、前記除毛装置の他の部分に対して着脱可能に構成されている、
請求項１記載の除毛装置。
【請求項５】
前記除毛部が前記他の部分から着脱自在であり、且つ、前記除毛部を取り外した後に、これに代えて、これとは別の方法で除毛するための別の除毛部を前記他の部分に着脱自在に取り付けることができるように構成されている、
請求項１記載の除毛装置。
【請求項６】
前記イオン風吹き当て部は、１又は複数のイオン風吹出穴を有する吹出口部材と、マイナスイオンを含んだイオン風を発生して前記吹出口部材へ送り込むイオン風発生部とを有し、
前記イオン風吹き当て部又は前記イオン風吹き当て部中の前記吹出口部材が、前記除毛装置の他の部分に対して着脱自在になっている、
請求項１記載の除毛装置。
【請求項７】
前記吹出口部材を取り外した後、前記吹出口部材とは別の形状をした別の吹出口部材を前記他の部分に取り付けることができるようになっている、
請求項６記載の除毛装置。
【請求項８】
前記別の吹出口部材の形状は、前記除毛装置を温風乾燥装置としても利用できるような形状である、
請求項７記載の除毛装置。
【請求項９】
前記イオン風吹き当て部は、前記イオン風を温風にするためのヒータを有している、
請求項１記載の除毛装置。
【請求項１０】
前記イオン風吹き当て部は、１又は複数のイオン風吹出穴を有し、前記１又は複数のイオン風吹出穴は、
（１）前記除毛部の前記皮膚又は前記体毛に接して作用する作用面の外周縁に沿って、実質的全周にわたって設けられている、
（２）前記除毛部の前記皮膚又は前記体毛に接して作用する作用面の縁に沿って実質的に全幅にわたって設けられている、又は、
（３）前記除毛部の前記作用面の領域内に設けられている、
請求項１記載の除毛装置。
【請求項１１】
前記イオン風吹き当て部が、オゾンを発生するオゾン発生部を有し、マイナスイオンの他にオゾンが含まれた前記イオン風を前記皮膚又は前記体毛に吹き当てるように構成されている、
請求項１記載の除毛装置。
【請求項１２】
前記除毛部は、１又は複数のイオン風吹出穴を持った吹出口部材を有し、
前記吹出口部材は、前記除毛部の前記皮膚又は前記体毛に接して作用する作用面のあらゆる領域が前記皮膚又は前記体毛に接することを妨げないような位置に又は形状で設けられている、
請求項１記載の除毛装置。
【請求項１３】
体表をトリートメントするためのトリートメント部と、
トリートメント直前、トリートメント中又はトリートメント直後に、前記トリートメント部によってトリートメントされる又はされた体表の領域に、マイナスイオンを含んだイオン風を吹き当てるイオン風吹き当て部と
を備えるトリートメント装置。
【請求項１４】
体表をトリートメントするためのトリートメント部と、
トリートメント直前、トリートメント中又はトリートメント直後に、前記トリートメント部によってトリートメントされる又はされた体表の領域に、オゾンを含んだオゾン風を吹き当てるオゾン風吹き当て部と
を備えるトリートメント装置。
【発明の詳細な説明】
【０００１】
【発明の属する技術分野】
本発明は、体表をトリートメントするためのトリートメント装置に関し、具体的には、例えば、剃毛又は脱毛等により皮膚から体毛を除去するための除毛装置に関する。
【０００２】
【従来の技術】
本発明の原理は、除毛装置やその他のトリートメント装置に適用可能であるが、以下、除毛装置を例に採り本発明について説明する。
【０００３】
除毛装置として、代表的なものに、例えば、皮膚に接触してそこからはえている髭などの体毛を剃り落とすための剃毛装置と、皮膚に接触してそこからはえている体毛を抜き取るための脱毛装置とがある（特許文献１参照）。
【０００４】
【特許文献１】
特開２０００−１５７３２５号公報。
【０００５】
【発明が解決しようとする課題】
従来の剃毛装置は、皮膚に接触して剃毛したときに、皮膚を傷付けて痛みを残してしまうことがある。従来の脱毛装置も、同様に、皮膚に接触して脱毛したときに、瞬間的に痛みを与えてその後にその痛みを残してしまうことがある。
【０００６】
また、従来の剃毛装置は、剃毛によって皮膚を傷付けることがあり、従来の脱毛装置は、脱毛によって毛穴を傷付けることがある。そのときに、皮膚の表面に付着している雑菌（細菌）の活動によって、除毛により傷付いた部位が炎症してしまう虞もある。
【０００７】
このような問題は、剃毛又は脱毛を行うための除毛装置に限らず、他の種類のトリートメント装置においても発生し得る。
【０００８】
従って、本発明の目的は、体表に対するトリートメントによる痛みを抑えることができるようなトリートメント装置を提供することにある。具体的には例えば、除毛による痛みを抑えることができるような除毛装置を提供することにある。
【０００９】
本発明の別の目的は、トリートメントされた部位が炎症してしまう虞を低減することができるようなトリートメント装置を提供することにある。具体的には例えば、除毛した部位が炎症してしまう虞を低減することができるような除毛装置を提供することにある。
【００１０】
【課題を解決するための手段】
本発明に従う除毛装置は、皮膚に生えている体毛を除毛するための除毛部と、除毛直前、除毛中又は除毛直後に、前記除毛部によって除毛される又はされた皮膚の領域に、マイナスイオンを含んだイオン風を吹き当てるイオン風吹き当て部とを備える。
【００１１】
第１の好適な実施形態では、前記除毛部は、前記体毛を剃毛するための剃毛部である。
【００１２】
第２の好適な実施形態では、前記除毛部は、前記体毛を脱毛するための脱毛部である。なお、ここで言う「脱毛」とは、抜き取ることで体毛を除去するいわゆる「抜毛」に限られない広い意味（例えば、温灸脱毛、電気脱毛、レーザ脱毛などを包含する意味）の脱毛である。
【００１３】
第３の好適な実施形態では、前記除毛部は、前記体毛に直接作用する除毛機構と、前記除毛機構を駆動する駆動装置とを有し、前記除毛部又は前記除毛部中の前記除毛機構が、前記除毛装置の他の部分に対して着脱可能に構成されている。
【００１４】
第４の好適な実施形態では、除毛装置が、前記除毛部が前記他の部分から着脱自在であり、且つ、前記除毛部を取り外した後に、これに代えて、これとは別の方法で除毛するための別の除毛部を前記他の部分に着脱自在に取り付けることができるように構成されている。
【００１５】
第５の好適な実施形態では、前記イオン風吹き当て部は、１又は複数のイオン風吹出穴を有する吹出口部材と、マイナスイオンを含んだイオン風を発生して前記吹出口部材へ送り込むイオン風発生部とを有し、前記イオン風吹き当て部又は前記イオン風吹き当て部中の前記吹出口部材が、前記除毛装置の他の部分に対して着脱自在になっている。また、除毛装置が、前記吹出口部材を取り外した後、前記吹出口部材とは別の形状をした別の吹出口部材を前記他の部分に取り付けることができるようになっている。さらに、前記別の吹出口部材の形状は、前記除毛装置を温風乾燥装置としても利用できるような形状である。
【００１６】
第６の好適な実施形態では、前記イオン風吹き当て部は、前記イオン風を温風にするためのヒータを有している。
【００１７】
第７の好適な実施形態では、前記イオン風吹き当て部は、１又は複数のイオン風吹出穴を有し、前記１又は複数のイオン風吹出穴は、（１）前記除毛部の前記皮膚又は前記体毛に接して作用する作用面の外周縁に沿って、実質的全周にわたって設けられている、（２）前記除毛部の前記皮膚又は前記体毛に接して作用する作用面の縁に沿って実質的に全幅にわたって設けられている、又は、（３）前記除毛部の前記作用面の領域内に設けられている。
【００１８】
第８の好適な実施形態では、前記イオン風吹き当て部が、オゾンを発生するオゾン発生部を有し、マイナスイオンの他にオゾン（例えば微量のオゾン）が含まれた前記イオン風を前記皮膚又は前記体毛に吹き当てるように構成されている。
【００１９】
第９の好適な実施形態では、前記除毛部は、１又は複数のイオン風吹出穴を持った吹出口部材を有し、前記吹出口部材は、前記除毛部の前記皮膚又は前記体毛に接して作用する作用面のあらゆる領域が前記皮膚又は前記体毛に接することを妨げないような位置に又は形状で設けられている。
【００２０】
本発明に従うトリートメント装置は、体表をトリートメントするためのトリートメント部と、トリートメント直前、トリートメント中又はトリートメント直後に、前記トリートメント部によってトリートメントされる又はされた体表の領域に、マイナスイオンを含んだイオン風を吹き当てるイオン風吹き当て部とを備える。
【００２１】
なお、本明細書で言う「トリートメント」とは、皮膚又は体毛等の体表への物理的又は化学的な作用を言う。
【００２２】
本発明に従う別のトリートメント装置は、体表をトリートメントするためのトリートメント部と、トリートメント直前、トリートメント中又はトリートメント直後に、前記トリートメント部によってトリートメントされる又はされた体表の領域に、オゾンを含んだオゾン風を吹き当てるオゾン風吹き当て部とを備える。
【００２３】
【発明の実施の形態】
以下、本発明の実施の形態を、図面により詳細に説明する。
【００２４】
図１は、本発明の一実施形態に係る除毛装置の全体構成を示す説明図である。
【００２５】
上記除毛装置は、図１に示すように、装置本体を構成するケーシング（以下、「框体」という）１と、框体１に内蔵される制御用ユニット３と、負イオン発生器５と、剃毛機構（又は、脱毛機構）（以下では、説明の都合上「剃毛機構」とする）７とを備える。
【００２６】
制御用ユニット３は、框体１の内部空間の２／３以上を占める大きさを有しており、図示のように、框体１の内部空間の左寄りの部位に配置されている。制御用ユニット３には、剃毛機構７を構成する各部、及び剃毛機構７と共に框体１の内部空間に配置されているファン（図示しない）に連繋するファンモータ（図示しない）を駆動するための駆動回路や、該駆動回路、及び制御用ユニット３に隣接した状態で框体１の内部空間に配置されている負イオン発生器５に給電するための電源回路や、剃毛機構７を構成する各部、駆動回路等を制御する演算処理部等が含まれる。剃毛機構７は、図１の右端側に位置する框体１の開口部に対して着脱自在に構成されている。
【００２７】
框体１には、負イオン発生器５の配置位置に対応する部位に、複数個の空気吸入口１ａ、１ｂ、１ｃ、１ｄが形成されている。
【００２８】
図２は、図１に記載した負イオン発生器５に内蔵される、負イオンが発生可能な程度の高さの交流電圧を供給するための高電圧供給部の回路構成を示すブロック図である。
【００２９】
この高電圧供給部は、図２に示すように、図１において説明した電源回路を構成する電源ユニット９と、該電源ユニット９からの給電を受ける高電圧発生回路１１とから成る。高電圧発生回路１１で生成された交流の高電圧は、高電圧発生回路１１と共に負イオン発生器５を構成するイオン電極１３に印加される。これにより、イオン電極１３において負イオンと共に極めて微量のオゾンが生成される。なお、高電圧発生回路１１は、例えば圧電（ピエゾ）素子、或いは昇圧コイル等を含む。
【００３０】
上記構成において、剃毛機構７が駆動されて、例えばユーザの顔面に生えている髭が剃り落とされると、負イオン発生器５において生成された負イオン、及び極めて微量のオゾンが、ファンの駆動により空気吸入口１ａ、１ｂ、１ｃ、１ｄから框体１内に流入する空気流によって、上記髭の剃り落とされた部位に向けて吹き付けられる。そのため、該部位における所謂髭剃り負けの解消を図ることができるのみならず、該部位に存在している雑菌等の殺菌効果も期待できるという利点がある。
【００３１】
なお、剃毛機構７に代えて脱毛機構を、着脱自在に框体１に装着して、脱毛を行った場合にも、脱毛を施した部位における毛穴の赤味の解消を図ることが可能であると共に、殺菌効果も期待できるという利点がある。
【００３２】
上記実施形態では、剃毛機構７、及び脱毛機構の双方共に、框体１に対して着脱自在な構成として説明したが、剃毛機構７、又は脱毛機構の何れか一方が、予め框体１に対して一体的に構成され、他の機構が框体１に対して着脱自在な構成である除毛装置も想到され得る。
【００３３】
図３は、本発明の第２の実施形態に係る除毛装置の全体構成を示す説明図である。
【００３４】
本実施形態では、図３に示すように、負イオン発生器１５が、框体１の外周面に設けられた負イオン発生器取付部１７に対して、着脱自在に取付固定される。負イオン発生器取付部１７には、上記負イオン発生器１５を所定の取付位置へと導くための１対の案内軌条（図示しない）が、負イオン発生器取付部１７に対して着脱自在に取付けられている。更に、負イオン発生器取付部１７における適宜な部位には、上記１対の案内軌条（図示しない）によって負イオン発生器取付部１７における所定位置へと案内されて位置決めされた負イオン発生器１５のイオン風吹出し口１５ａの位置と一致するように、イオン風導入口１７ａが形成されている。
【００３５】
残りの構成については、図１、及び図２で説明した本発明の第１の実施形態と略同様である。
【００３６】
上記構成によれば、除毛装置の携帯時には、剃毛機構７（又は脱毛機構）と共に負イオン発生器１５をも框体１から取り外して別々に携行することが可能であるので、携帯時における上記装置の嵩張りを解消することができる。また、負イオン発生器１５を、負イオン発生器取付部１７における所定の取付位置へ手早く取付けることができる上に、負イオン発生器１５を、負イオン発生器取付部１７における所定位置に取付固定するだけで、負イオン発生器１５のイオン風吹出し口１５ａの位置を、イオン風導入口１７ａの位置に一致させることができる。従って、負イオン発生器１５のイオン風吹出し口１５ａの位置を、イオン風導入口１７ａの位置に一致させるための調整を行う必要はない。
【００３７】
なお、図３において、符号１ａ、１ｂ、１ｃ、１ｄは、図１で示したのと同様、いずれも空気吸入口である。
【００３８】
図４は、本発明の第３の実施形態に係る除毛装置の全体構成を示す説明図である。
【００３９】
本実施形態では、制御用ユニット１９に、上述した駆動回路、電源回路、演算処理部等に加えて、更に、図２で示した高電圧発生回路（１１）をも含ませた点を主な特徴とする。
【００４０】
残りの構成については、図１、及び図２で説明した本発明の第１の実施形態と略同様である。
【００４１】
上記構成において、剃毛機構７が駆動されて、例えばユーザの顔面に生えている髭が剃り落とされると、イオン電極２１を介して放出される負イオン、及び極めて微量のオゾンが、ファン２３の駆動により空気吸入口２５ａ〜２５ｈから框体２５内に流入する空気流によって、上記髭の剃り落とされた部位に向けて吹き付けられる。そのため、本発明の第１の実施形態におけると同様に、該部位における所謂髭剃り負けの解消を図ることができるのみならず、該部位に存在している雑菌等の殺菌効果も期待できるという利点がある。
【００４２】
図５は、本発明の第４の実施形態に係る除毛装置の要部構成を示す説明図である。
【００４３】
本実施形態では、框体２７における剃毛機構７（又は、脱毛機構）が着脱自在に装着される部位の外周に、上述した負イオン発生器からのイオン風を、ユーザの顔面における剃毛機構７によって剃毛された部位に集中的に吹き付けられるように、イオン風ガイド用の筒体（又は枠体）（以下では、説明の都合上、「イオン風ガイド用筒体」とする）２９を着脱自在に取付けた点を、主な特徴とする。
【００４４】
残りの構成については、図１、及び図２で説明した本発明の第１の実施形態、或いは、図４で説明した本発明の第３の実施形態と略同様である。
【００４５】
上記構成によれば、剃毛機構７によって剃毛が施されるのと並行して、ユーザの顔面等における剃毛が施された部位に、イオン風ガイド用筒体２９によって、上述したイオン電極から放出される負イオンや、極めて微量のオゾンを含んだイオン風が集中的に供給されるため、上記剃毛が施された部位及びその近傍（或いは脱毛が施された部位及びその近傍）における雑菌を減らしそこが炎症してしまう虞を低減することができる。
【００４６】
図６は、本発明の第５の実施形態に係る除毛装置が備える負イオン発生器の基板に配置されている高電圧発生回路の回路構成図である。
【００４７】
図６において、商用電源から高電圧発生回路Ｓｒの入力端子Ｅ１、Ｅ２に印加される交流電圧の極性が『正』のとき、商用電源からの電流は、入力端子Ｅ１から抵抗Ｒ１、ダイオードＤ１を通じて直列共振回路を形成するコンデンサＣ、及びトランスＴの一次側巻線を流れ、更にダイオードＤ２、及び入力端子Ｅ２を通じて商用電源へ戻る。つまり、コンデンサＣへの充電が行われる。
【００４８】
一方、上記交流電圧の極性が『負』のときには、商用電源からの電流は、入力端子Ｅ２から抵抗Ｒ１よりも抵抗値がかなり大きい素子である抵抗Ｒ２を通じて制御整流素子ＳＣＲのゲート端子にゲート電流として流入する。これにより、制御整流素子ＳＣＲがターンオン（導通）することとなるので、コンデンサＣからの電流が、制御整流素子ＳＣＲを通じてトランスＴの一次巻線側を通ってコンデンサＣに流れる。つまり、コンデンサＣに蓄積されている電荷の、トランスＴの一次巻線側への放電が行われる。
【００４９】
換言すれば、商用電源から入力端子Ｅ１、Ｅ２を通じて印加される交流電圧が、ダイオードＤ１、Ｄ２で半波整流されることにより、コンデンサＣへの充電と、制御整流素子ＳＣＲの導通によるコンデンサＣからトランスＴの一次側巻線への放電（コンデンサＣとトランスＴの一次側巻線との間での電気エネルギーの授受）とが繰り返される。これにより、上記充放電のタイミングに応じて、トランスＴの一次側巻線に比較的高周波の交流電圧が印加されることになるから、結果として、トランスＴの二次側巻線に負イオンが発生可能な程度の高電圧が誘起され、この高電圧がトランスＴの二次側巻線の出力端子からイオン電極に印加されることになる。
【００５０】
ところで、上述した第１〜第６の実施形態では以下のような変形例が考えられる。
【００５１】
例えば、上述した各框体（１、２５、２７）の断面形状は円形状でも、楕円形状でも良いし、或いは矩形状でも差支えない。更には、ユーザが手で把持し易くするために、框体（１、２５、２７）の外周部における適宜な箇所に相応の窪みを設けることも想到し得る。
【００５２】
更に、例えば、制御用ユニットに含まれる電源回路への給電についても、図６で示した高電圧発生回路におけるように、専用のアダプタを用いて商用電源から行っても良いし、或いは、乾電池或いは蓄電池を用いて行っても良い。
【００５３】
さて、図７は、本発明の第７の実施形態に係る除毛装置の斜視図であり、図８は、その除毛装置のＡ−Ａ方向の断面図である。なお、図７、８は、この除毛装置の機能を説明するための図であり、各構成要素の寸法関係は必ずしも正確ではない。これは、他の図面についても同様である。以下、図７及び図８の両図を用いて第７の実施形態について説明する。
【００５４】
第７の実施形態に係る除毛装置５１は、剃毛部５５と、風吹出口部材５３Ｂと、ケーシング５３Ａとを備えている。
【００５５】
剃毛部５５は、後述するように、風吹出口部材５３Ｂに対して着脱自在であり、イオン風吹出口部材５３Ｂから取り外して水洗い又はアルコール洗浄可能な構成になっている。この剃毛部５５は風吹出口部材５３Ｂの上部に装着できるような形状を皮膚又は体毛に直接接触して剃毛するための作用面（この実施形態では網刃）及び図示しない内刃を有する剃毛機構６１と、剃毛機構６１を駆動して剃毛を行うための駆動部１０３とを有する。作用面の中央には、幅方向（図８で言えば紙面を表裏に直交する方向）に沿って、体毛を起こして剃毛し易くするための体毛起こし部材６１Ａが備えられている。この剃毛部５５は、ケーシング５１に装着されているイオン風吹出口部材５３Ｂに装着されたときに、ケーシング５１内の後述する電源回路１０１に電気的に接続されるようになっている。
【００５６】
風吹出口部材５３Ｂは、後述するように、ケーシング５３Ａに対して着脱自在に構成されている。また、風吹出口部材５３Ｂは、剃毛部５５が装着（例えば嵌合）できるような形状をしており、先端部分に、後述するように、ファン３００の駆動によって生成された風を吹出すための２つの風吹出穴７１を有し、各風吹出穴７１、７１からケーシング５１に接する下方にわたって、風の通路となる空間（以下、「風通路」と言う）７２、７２を有している。この実施形態では、各風吹出穴７１、７１は、溝状に、剃毛機構６１の作用面（網刃）の幅方向の縁に沿って実質的に全幅にわたって設けられている（すなわち、この実施形態では、剃毛機構６１の作用面の両側に幅方向に沿って風吹出穴７１、７１が設けられている）。また、この実施形態では、風吹出口部材５３Ｂにおいて、風吹出穴７１、７１を有する先端部分は、剃毛機構６１の作用面のあらゆる領域が皮膚又は体毛に接することを妨げないような形状になっている、具体的には、例えば、図示のように、実質的に作用面に沿って斜めに切られた形状になっている。
【００５７】
ケーシング５３Ａの形状は、握りやすいように、下部よりも中央部又は上部の方が断面積が狭い形状をしている。また、ケーシング５３Ａは、風吹出口部材５３Ｂが着脱自在になるように構成されている。このケーシング５３Ａの外面には、図７に示すように、後述する複数のトリートメントモードのうちのユーザ所望のトリートメントモードを選択的に切り替えるためのモード切替スイッチ７５Ａと、風量を実質的にユーザ所望の風量に制御するための風量制御スイッチ７５Ｂと、風吹出穴７１、７１から吹き出る風の温かさを実質的にユーザ所望の温かさに制御するための風温制御スイッチ７５Ｃとが設けられている。ケーシング５３Ａの底面には、図８に示すように、所定の形状（例えば、網状、口状、溝状、又は環状等）の１又は複数の空気吸入穴７３が設けられている。
【００５８】
ケーシング５３Ａの内部には、マイナスイオンを発生する１又は複数（例えば２つ）のマイナスイオン発生部（例えばマイナスイオン電極）５７Ａ、５７Ｂと、生成された風を温風にするための１又は複数（例えば２つ）のヒータ５８Ａ、５８Ｂと、オゾンを発生するための１又は複数（例えば２つ）のオゾン発生部（例えばオゾン電極）５２Ａ、５２Ｂとが備えられている。また、ケーシング５３Ａの内部には、風を生成するためのファン３００と、駆動部１０３、マイナスイオン発生部５７Ａ、５７Ｂ、ヒータ５８Ａ、５８Ｂ、オゾン発生部５２Ａ、５２Ｂ及びファン３００への給電及びそれの制御を行う電源回路１０１とが備えられている。
【００５９】
マイナスイオン発生部５７Ａ、５７Ｂ、ヒータ５８Ａ、５８Ｂ、オゾン発生部５２Ａ、５２Ｂは、ファン３００の駆動によってケーシング５３Ａ底面の空気吸入穴７３から取り込まれて風吹出穴７１、７１へ送り出される空気の通路上に設けられている。
【００６０】
電源回路１０１は、図７に示したモード切替スイッチ７５Ａ、風量制御スイッチ７５Ｂ及び風温制御スイッチ７５Ｃの位置に応じて、換言すれば、（１）実行可能な複数のトリートメントモードの中からユーザに選択されたトリートメントモード、（２）吹き付け可能な風量の中からユーザに指定された風量、（３）温風か冷風かの（１）〜（３）に応じて、駆動部１０３、マイナスイオン発生部５７Ａ、５７Ｂ、ヒータ５８Ａ、５８Ｂ、オゾン発生部５２Ａ、５２Ｂ及びファン３００への給電を制御する。
【００６１】
例えば、電源回路１０１は、モード切替スイッチ７５Ａが第１の位置に移動させられた場合は、この除毛装置５１の電源をオフ状態にする。
【００６２】
電源回路１０１は、モード切替スイッチ７５Ａが第２の位置に移動させられた場合は、イオン風モードを実行する。具体的に言うと、電源回路１０１は、ファン３００及びマイナスイオン発生部５７Ａ、５７Ｂへ給電してそれらを駆動する。それにより、イオン発生部５７Ａ、５７Ｂにおいてマイナスイオンが発生すると共に、ケーシング５３Ａ底面の空気吸入穴７３、７３から空気が取り込まれて、その空気が、マイナスイオン発生部５７Ａ、５７Ｂで発生したマイナスイオンを含んで、風吹出口部材５３Ｂ内の風通路風７２、７２を通って風吹出穴７１、７１から送り出される。つまり、イオン風モードでは、点線で例示したように、風吹出口部材５３Ｂ先端の風吹出穴７１、７１から、マイナスイオンが含まれたイオン風が吹き出る。なお、オゾンおよびマイナスイオンの量は、例えば、１ｃｍ２当りマイナスイオン１００万個以上、オゾン０．００４〜０．００６ＰＰＭである。
【００６３】
電源回路１０１は、モード切替スイッチ７５が第３の位置に移動させられた場合は、オゾン風モードを実行する。具体的に言うと、電源回路１０１は、ファン３００及びオゾン発生部５２Ａ、５２Ｂへ給電してそれらを駆動する。それにより、イオン発生部５２Ａ、５２Ｂにおいてオゾン（例えば微量のオゾン）が発生すると共に、ケーシング５３Ａ底面の空気吸入穴７３、７３から空気が取り込まれて、その空気が、オゾン発生部５２Ａ、５２Ｂで発生したオゾンを含んで、風吹出口部材５３Ｂ内の風通路風７２、７２を通って風吹出穴７１、７１から送り出される。つまり、オゾン冷風モードでは、点線で例示したように、風吹出口部材５３Ｂ先端の風吹出穴７１、７１から、オゾンが含まれたオゾン風が吹き出る。
【００６４】
電源回路１０１は、モード切替スイッチ７５が第４の位置に移動させられた場合は、イオン・オゾン風モードを実行する。具体的に言うと、電源回路１０１は、ファン３００、マイナスイオン発生部５７Ａ、５７Ｂ及びオゾン発生部５２Ａ、５２Ｂへ給電してそれらを駆動する。それにより、イオン発生部５７Ａ、５７Ｂにおいてマイナスイオンが発生し、オゾン発生部５２Ａ、５２Ｂにおいてオゾンが発生すると共に、ケーシング５３Ａ底面の空気吸入穴７３、７３から空気が取り込まれて、その空気が、オゾン発生部５２Ａ、５２Ｂで発生したオゾンと、マイナスイオン発生部５７Ａ、５７Ｂで発生したマイナスイオンとを含んで、風吹出口部材５３Ｂ内の風通路風７２、７２を通って風吹出穴７１、７１から送り出される。つまり、イオン・オゾン風モードでは、点線で例示したように、風吹出口部材５３Ｂ先端の風吹出穴７１、７１から、マイナスイオン及びオゾンが含まれたイオン・オゾン風が吹き出る。
【００６５】
電源回路１０１は、モード切替スイッチ７５が第５の位置に移動させられた場合は、剃毛イオン風モードを実行する。具体的に言うと、電源回路１０１は、剃毛部５５の駆動部１０３、ファン３００及びマイナスイオン発生部５７Ａ、５７Ｂへ給電してそれらを駆動する。それにより、剃毛機構が駆動し、且つ、イオン発生部５７Ａ、５７Ｂにおいてマイナスイオンが発生すると共に、ケーシング５３Ａ底面の空気吸入穴７３、７３から空気が取り込まれて、その空気が、上記発生したマイナスイオンを含んで、風吹出口部材５３Ｂ内の風通路風７２、７２を通って風吹出穴７１、７１から送り出される。つまり、剃毛イオン風モードでは、剃毛機構の作用面を皮膚又は体毛に接触させることによりユーザ所望の体毛が剃られ、且つ、点線で例示したように、風吹出口部材５３Ｂ先端の風吹出穴７１、７１から、マイナスイオンが含まれたイオン風が吹き出る。その際、例えば、幅方向を横切る方向に沿って除毛装置５１を動かして剃毛すれば、剃毛の直前及び直後に、剃毛機構の作用面が接触する及び接触した皮膚又は体毛にイオン風が吹き当たる。
【００６６】
電源回路１０１は、モード切替スイッチ７５が第６の位置に移動させられた場合は、剃毛オゾン風モードを実行する。具体的に言うと、電源回路１０１は、剃毛部５５の駆動部１０３、ファン３００及びオゾン発生部５２Ａ、５２Ｂへ給電してそれらを駆動する。それにより、剃毛機構が駆動し、且つ、オゾン発生部５２Ａ、５２Ｂにおいてオゾンが発生すると共に、ケーシング５３Ａ底面の空気吸入穴７３、７３から空気が取り込まれて、その空気が、上記発生したオゾンを含んで、風吹出口部材５３Ｂ内の風通路風７２、７２を通って風吹出穴７１、７１から送り出される。つまり、剃毛オゾン風モードでは、剃毛機構の作用面を皮膚又は体毛に接触させることによりユーザ所望の体毛が剃られ、且つ、点線で例示したように、風吹出口部材５３Ｂ先端の風吹出穴７１、７１から、オゾンが含まれたオゾン風が吹き出る。その際、例えば、幅方向を横切る方向に沿って除毛装置５１を動かして剃毛すれば、剃毛の直前及び直後に、剃毛機構の作用面が接触する及び接触した皮膚又は体毛にオゾン風が吹き当たる。
【００６７】
電源回路１０１は、モード切替スイッチ７５が第７の位置に移動させられた場合は、剃毛イオン・オゾン風モードを実行する。具体的に言うと、電源回路１０１は、駆動部１０３、ファン３００、マイナスイオン発生部５７Ａ、５７Ｂ及びオゾン発生部５２Ａ、５２Ｂへ給電してそれらを駆動する。それにより、剃毛機構が駆動し、イオン発生部５７Ａ、５７Ｂにおいてマイナスイオンが発生し、オゾン発生部５２Ａ、５２Ｂにおいてオゾンが発生すると共に、ケーシング５３Ａ底面の空気吸入穴７３、７３から空気が取り込まれて、その空気が、オゾン発生部５２Ａ、５２Ｂで発生したオゾンと、マイナスイオン発生部５７Ａ、５７Ｂで発生したマイナスイオンとを含んで、風吹出口部材５３Ｂ内の風通路風７２、７２を通って風吹出穴７１、７１から送り出される。つまり、剃毛イオン・オゾン風モードでは、剃毛オゾン風モードでは、剃毛機構の作用面を皮膚又は体毛に接触させることによりユーザ所望の体毛が剃られ、且つ、点線で例示したように、風吹出口部材５３Ｂ先端の風吹出穴７１、７１から、マイナスイオン及びオゾンが含まれたイオン・オゾン風が吹き出る。その際、例えば、幅方向を横切る方向に沿って除毛装置５１を動かして剃毛すれば、剃毛の直前及び直後に、剃毛機構の作用面が接触する及び接触した皮膚又は体毛にイオン・オゾン風が吹き当たる。
【００６８】
電源回路１０１は、モード切替スイッチ７５が第８の位置に移動させられた場合は、剃毛モードを実行する。具体的に言うと、電源回路１０１は、ファン３００を駆動せずに駆動部１０３のみを駆動する。それにより、剃毛機構の作用面が接触する又は接触した皮膚又は体毛に風が吹き当てらない通常の剃毛が行われる。
【００６９】
以上のように、電源回路１０１は、モード切替スイッチ７５Ａの位置に応じて、駆動部１０３、マイナスイオン発生部５７Ａ、５７Ｂ、ヒータ５８Ａ、５８Ｂ、オゾン発生部５２Ａ、５２Ｂ及びファン３００への給電を制御する。なお、その際、電源回路１０１は、風量制御スイッチ７５Ｂの位置に応じて、ファン３００の回転速度を制御して（例えば段階的に切り替えて）、イオン風、オゾン風、又はイオン・オゾン風の風量を制御する（例えば段階的に切り替える）。また、電源回路１０１は、風温制御スイッチ７５Ｃの位置に応じて、ヒータ５８Ａ、５８Ｂから発生する熱量を制御して（例えば、ヒータ５８Ａ、５８Ｂへの給電のオン・オフを切り替えて）、イオン風、オゾン風、又はイオン・オゾン風の温かさを制御する（例えば、比較的冷たくするか比較的温かくするかを切り替える）。
【００７０】
ところで、この除毛装置５１は、図９に示すように、風吹出口部材５３Ｂに対して着脱自在となっている剃毛部５５を風吹出口部材５３Ｂから取り外し、別の方法で皮膚又は体毛に対してトリートメントする部材を装着することで、剃毛とは異なる別のトリートメント機能を発揮することができる。例えば、図９に示したように、剃毛部５５が取り外された後に、図１０に示すように、脱毛部６３が風吹出口部材５３Ｂに装着されれば、脱毛を実行することができる。なお、その脱毛部６３は、皮膚又は体毛に直接的に接触して体毛を抜き取るための脱毛機構６５と、脱毛機構６５を駆動して脱毛を行うための図示しない駆動部とを有している。この脱毛部６３を装着した後、モード切替スイッチ７５Ａの位置を切り替えることにより、上述した複数のトリートメントモードのうちユーザ所望のトリートメントモードで脱毛を行うことができる。例えば、脱毛イオン風モードを選択すれば、脱毛の直前又は直後に、脱毛機構６５が接触する又は接触した皮膚又は体毛に対してイオン風を吹き当てることができる。その際、風量制御スイッチ７５Ｂ及び風温制御スイッチ７５Ｃを制御すれば、イオン風の風量及び温かさを調節することができる。
【００７１】
また、この除毛装置５１は、図１１に示すように、ケーシング５３Ａに対して着脱自在となっている風吹出口部材５３Ｂをケーシング５３Ａから取り外し、別の形状をした風吹出口部材を装着することで、剃毛とは異なる別のトリートメント機能を発揮することができる。例えば、図１１に示したように、風吹出口部材５３Ｂがケーシング５３Ａから取り外された後に、図１２に示すように、ドライヤー用風吹出口部材５３Ｃがケーシング５３Ａに装着されれば、ドライヤーとして機能することができる。なお、そのドライヤー用風吹出口部材５３Ｃは、風吹出穴６０の大きさは、風の上流側の断面積よりも狭くなっていて、風速を速めることができるようになっている。このドライヤー用風吹出口部材５３Ｃを装着した後、モード切替スイッチ７５Ａの位置を切り替えることにより、上述した複数のトリートメントモードのうちユーザ所望のトリートメントモードで脱毛を行うことができる。例えば、モード切替スイッチ７５が第２の位置に移動させられた場合は、イオン風モードを実行してイオン風を吹出すができるし、モード切替スイッチ７５がここで初めて説明する第９の位置に移動させられた場合は、マイナスイオンもオゾンも含まれないただの風を吹出すことができる。もちろん、その際、風量制御スイッチ７５Ｂ及び風温制御スイッチ７５Ｃを制御すれば、吹出す風の風量及び温かさを調節することができる。
【００７２】
以上が、第７の実施形態についての説明である。
【００７３】
剃毛又は脱毛をすれば、剃毛又は脱毛された箇所で痛みを感じ、またその痛みが残り得る。その痛みを感じるのは、剃毛又は脱毛による刺激でプラスイオンが発生したからである。この第７の実施形態では（他の実施形態でもそうであるが）、剃毛又は脱毛によって刺激される又は刺激された箇所にマイナスイオンが含まれたイオン風が吹き当てられる。それにより、その刺激によってプラスイオンが発生してもそれを中和し、以って、痛みの発生を未然に抑えたり、もし痛みが発生してもそれを従来よりも小さくしたりすることができる。
【００７４】
また、この第７の実施形態では（他の実施形態でもそうであるが）、剃毛又は脱毛によって刺激される又は刺激された箇所にオゾンが含まれたオゾン風が吹き当てられる。それにより、オゾンには殺菌効果があるので、その刺激された箇所若しくはそこを含む領域に存在し得る雑菌を殺し、以って、除毛した部位が炎症してしまう虞を低減することができる。
【００７５】
なお、この第７の実施形態では、以下のような変形例が考えられる。
【００７６】
例えば、第７の実施形態では、風吹出穴７１は、剃毛機構（又は脱毛機構）の作用面の縁に沿って全幅にわたって溝状に設けられているが、他の態様で設けられても良い。例えば、風吹出穴として、剃毛機構（又は脱毛機構）の作用面の全幅又は一部に、方形、真円形、楕円形、又は長円形の口が１又は複数個設けられていても良い。また、風吹出穴は、風の上流側よりも断面積が狭くなっていて、風吹出穴において上流側よりも風速が速められるような形状になっていても良い。また、風吹出穴の断面積が調節可能になっていても良い。また、風吹出穴は、風の吹き出る方向を調節できるようになっていても良い。また、風吹出穴は、剃毛部５５（又は脱毛部６３）の作用面の外周縁に沿って、実質的全周にわたって設けられていても良い。また、風吹出穴は、剃毛部５５（又は脱毛部６３）の作用面の領域内に設けられていても良い。
【００７７】
また、例えば、ファン３００の形状は、図８に示したようなプロペラ型に限らず、例えば、ドラム型のファンでも良い。
【００７８】
また、除毛装置５１には、お奨めのトリートメントモード、風量、又は風温、或いはそれらの組み合わせが用意されていて、除毛装置５１の肉眼で確認できる場所（例えば、各スイッチ７５Ａ〜７５Ｃの近傍）に、そのお奨めのトリートメントモード、風量、又は風温、或いはそれらの組み合わせを実行するための各スイッチ７５Ａ〜７５Ｃの位置が表されていても良い。
【００７９】
また、脱毛部６３は、毛を抜き取って脱毛するいわゆる「抜毛」のための脱毛部に限らず、温灸脱毛、電気脱毛、レーザ脱毛など別の方法で脱毛するための脱毛部であっても良い。
【００８０】
図１３は、本発明の第８の実施形態に係る除毛装置を示す。以下、第７の実施形態との相違点を重点的に説明し、共通点については説明を省略又は簡略する。
【００８１】
この除毛装置２０１は、剃毛部２５３Ｂがケーシング２５３Ａに対して着脱自在に成っている。ケーシング２５３Ａから取り外された剃毛部２５３Ｂの代わりに、別の方法でトリートメントするトリートメント部（例えば、図１０に示したような脱毛部６３）をケーシング２５３Ａに装着することにより、除毛装置２０１は、その別の方法で皮膚又は体毛をトリートメントすることができるようになっている。
【００８２】
また、この除毛装置２０１は、上記第７の実施形態と同様に、ケーシング２５３Ａの底面に空気吸入穴２０４を有し、ケーシング２５３Ａ内に、ヒータ２０７や、マイナスイオン発生部２０５や、オゾン発生部２０３や、ファン２４０や、それらの各々へ給電する電源回路２０９を備えている。また、図示しないが、この除毛装置２０１は、第７の実施形態と同様に、ケーシング２５３Ａの外面に、モード切替スイッチ、風量制御スイッチ、及び風温制御スイッチを有していて、各スイッチの位置に応じて、実行可能な２以上のトリートメントモードのうちのユーザ所望のトリートメントモードを実行したり、後述する第１の風出口穴２１３又は第２の風出口穴９３から吹き出る風の風量及び温かさを制御したりするようになっている。
【００８３】
この除毛装置２０１は、剃毛部２５３Ｂの外面の所定位置に、剃毛部２５３Ｂ内へ風を入れるための第１の風通過穴２１１を有し、ケーシング２５３Ａの外面の所定位置に、ファン２４０の駆動によって生成された風をケーシング２５３Ａ外へ出すための第２の風通過穴２１５を有している。
【００８４】
この除毛装置２０１は、外表面に風吹出部材９５を備えている。その風吹出部材９５は、第７の実施形態における風吹出部材９３とは異なる。以下、その風吹出部材９５について具体的に説明する。
【００８５】
この風吹出部材９５は、除毛装置２０１の外表面に沿って上下に移動可能になっており、その移動路上における複数の特定の位置で止まることができるように構成されている。具体的には、この風吹出部材９５は、図１３に示したような下側の特定位置に止まったときには、ファン２４０の駆動によって生成された風を剃毛部２５３Ｂ内（又は他のトリートメント部内）に吹き込み、図１４に示したような上側の特定位置に止まったときには、その風を剃毛部２５３Ｂの作用面の近傍に吹出すように構成されている。別の言い方をすれば、風吹出部材９５は、剃毛部２５３Ｂの作用面のあらゆる領域が皮膚又は体毛に接することを妨げないような下側の特定位置に移動することができるようになっている。また、風吹出部材９５は、その先端が、上側の特定位置に移動したときに剃毛部２５３Ｂの作用面のあらゆる領域が皮膚又は体毛に接することを妨げないように実質的にその作用面に沿って斜めに切られている。
【００８６】
風吹出部材９５は、この風吹出部材９５内に風を入れるための第１の風入口穴２１９と、第１の風入口穴２１９から入った風を剃毛部２５３Ｂ内（又は他のトリートメント部内）へ出すための第１の風出口穴２１３と、第１の風入口穴２１９から入った風が第１の風出口穴２１３から出るための風の通路となる第１の風通路３０１とを有している。図１３に示すように、風吹出部材９５が下側の特定位置に止まったときは、第１の風入口穴２１９が、ケーシング２５３Ａに設けられている第２の風通過穴２１５から出た風を第１の風通路３０１内に導くことができるような位置に来るようになっており、第１の風出口穴２１３が、除毛部２５３Ｂに設けられている第１の風通過穴２１１を介して除毛部２５３Ｂ内へ風を吹出すことができるような位置に来るようになっている。
【００８７】
また、風吹出部材９５は、この風吹出部材９５内に風を入れるための第２の風入口穴２１７と、第２の風入口穴２１７から入った風を剃毛部２５３Ｂの作用面の近傍へ吹き出すための第２の風出口穴９３と、第２の風入口穴２１７から入った風が第２の風出口穴９３から出るための風の通路となる第２の風通路３０２とを有している。図１４に示すように、風吹出部材９５が上側の特定位置に止まったときは、第２の風入口穴２１９が、ケーシング２５３Ａに設けられている第２の風通過穴２１５から出た風を第２の風通路３０２内に導くことができるような位置に来るようになっている。
【００８８】
以上のような構成により、この風吹出部材９５は、図１３に示したように、下側の特定位置に止まったときに、ファン２４０の駆動によって生成された風を剃毛部２５３Ｂ内（又は他のトリートメント部内）に吹き込めるようになっている。これにより、剃毛部２５３Ｂ内にたまり得る毛くずを吹き飛ばして簡易的な掃除ができる。また、剃毛部２５３Ｂ内に吹き込まれる風に、上述した方法でオゾンを含ませれば、簡易的な除菌ができる。また、水洗い又はアルコール洗浄後の剃毛部２５３Ｂ内を乾かすことができる。
【００８９】
なお、この第８の変形例として、例えば以下のようなものが考えられる。
【００９０】
すなわち、図１５に示すように、風吹出部材３９５が下側の特定位置に止まっても上側の特定位置に止まっても、第１の風出口穴２１３から出る風を剃毛部２５３Ｂ内に吹き込めるように、第１の風通穴２１１が、上下方向に広くなった風通過穴２１１Ｗであっても良い。また、図１５に示すように、風吹出部材３９５が下側の特定位置に止まっても上側の特定位置に止まっても、第１の風入口穴２１３から第１の風通路３１０内に風を吹き出せるように、第２の風通穴２１５が、上下方向に広くなった風通過穴２１５Ｗであっても良い。このような構成にすることで、風吹出部材３９５が下側の特定位置に止まったときには、剃毛部２５３Ｂ内だけに風を吹出することができ、風吹出部材３９５が上側の特定位置に止まったときには、剃毛部２５３Ｂの作用面の近傍だけでなく、剃毛部２５３Ｂ内へも風を吹出すことができる。
【００９１】
また、第８の実施形態において、風吹出部材は、図１６に示すように、剃毛部２５３Ｂが作用する皮膚又は体毛の領域内の或る１又は複数の位置に集中的に風を吹き当てられるような形状を有する風吹出部材２９５であっていても良い。
【００９２】
図１７は、第９の実施形態に係る除毛装置を示す。
【００９３】
この除毛装置２７０は、いわゆるロータリー式の剃毛装置である。この除毛装置２７０の剃毛部の作用面５８３の全周には、イオン風、オゾン風、又はイオン・オゾン風を皮膚又は体毛に吹出すための風吹出穴８３が溝状に環状になって設けられている（変形例として、吹出穴は、円形等をした複数の口になって設けられていても良い）。さらに、図示のように、剃毛部の作用面５８３内には、イオン風等を吹出すための別の風吹出穴８２が設けられていても良い。また、この除毛装置２７０は、上部５８４と下部５８５を所定軸を中心に相対的に右又は左にまわすことにより、風吹出穴８３及び別の風吹出穴８２からイオン風等を出すための図示しない風通路が狭まる又は遮断されても良い。
【００９４】
以上、本発明の幾つかの好適な実施形態を説明したが、これらは本発明の説明のための例示であって、本発明の範囲をこれらの実施形態にのみ限定する趣旨ではない。本発明は、他の種々の形態でも実施することが可能である。
【００９５】
例えば、本発明は、体表（例えば皮膚又は体毛）に対して化学的又は物理的に作用することが可能な種々のトリートメント装置、例えば、例えば、超音波刺激装置、低周波刺激装置、刺青を彫るための装置、スキンケア装置、円筒状のローラを皮膚に接触した状態で転がすことにより美顔効果を図る美顔装置、電動歯ブラシに適用し得る。
【００９６】
また、上述した第１〜第９の実施形態に係る除毛装置の各要素を適宜に組み合わせた別の除毛装置を作ることもできる。
【図面の簡単な説明】
【図１】本発明の第１の実施形態に係る除毛装置の全体構成を示す説明図。
【図２】図１に記載した負イオン発生器に内蔵される、負イオンが発生可能な程度の高さの交流電圧を供給するための高電圧供給部の回路構成を示すブロック図。
【図３】本発明の第２の実施形態に係る除毛装置の全体構成を示す説明図。
【図４】本発明の第３の実施形態に係る除毛装置の全体構成を示す説明図。
【図５】本発明の第４の実施形態に係る除毛装置の要部構成を示す説明図。
【図６】本発明の第５の実施形態に係る除毛装置が備える負イオン発生器の基板に配置されている高電圧発生回路の回路構成図。
【図７】本発明の第７の実施形態に係る除毛装置の斜視図。
【図８】図７に示した除毛装置のＡ−Ａ方向の断面図。
【図９】風吹出口部材５３Ｂから剃毛部５５が取り外された様子を示す図。
【図１０】剃毛部５５の代わりに脱毛部６３が風吹出口部材５３Ｂに装着される様子を示す図。
【図１１】ケーシング５３Ａから風吹出口部材５３Ｂが取り外された様子を示す図。
【図１２】風吹出口部材５３Ｂの代わりにドライヤー用風吹出口部材５３Ｃがケーシング５３Ａに装着される様子を示す図。
【図１３】風吹出口部材９５が下側の特定位置に止まっているときの、本発明の第８の実施形態に係る除毛装置を示す図。
【図１４】本発明の第８の実施形態に係る除毛装置において、風吹出口部材９５が上側の特定位置に止まったときの様子を示す図。
【図１５】本発明の第８の実施形態に係る除毛装置の変形例を示す図。
【図１６】本発明の第８の実施形態に係る除毛装置の別の変形例を示す図。
【図１７】本発明の第９の実施形態に係る除毛装置を示す図。
【符号の説明】
１　装置本体を構成するケーシング（框体）
１ａ、１ｂ、１ｃ、１ｄ　空気吸入口
３　制御用ユニット
５　負イオン発生器
７　剃毛機構（又は、脱毛機構）
【図１】
2004000432.tif 000003
【図２】
2004000432.tif 000004
【図３】
2004000432.tif 000005
【図４】
2004000432.tif 000006
【図５】
2004000432.tif 000007
【図６】
2004000432.tif 000008
【図７】
2004000432.tif 000009
【図８】
2004000432.tif 000010
【図９】
2004000432.tif 000011
【図１０】
2004000432.tif 000012
【図１１】
2004000432.tif 000013
【図１２】
2004000432.tif 000014
【図１３】
2004000432.tif 000015
【図１４】
2004000432.tif 000016
【図１５】
2004000432.tif 000017
【図１６】
2004000432.tif 000018
【図１７】
2004000432.tif 000019